(57)【要約】      （修正有）【課題】調理時の油分などの周辺への飛散を防止し、後片付けも簡単なレンジまわりの汚れ防止器具を提供する。【解決手段】調理時の油分などの周辺への飛散を防止するために、４本の伸縮自在に構成された支柱１と市販の不燃材あるいは難燃材製のシート材８を使って、調理時に調理に使用する火口を略コの字状に囲えるようにする。【選択図】図１
2012107850.tif 000002
【特許請求の範囲】
【請求項１】
調理用レンジに該レンジの発熱部即ち火口を略コの字状に包囲するように立設した４本の支柱を支持部として、該調理用レンジの発熱部即ち火口を略コの字状に包囲するように不燃材あるいは難燃材製のシート材を張着することにより、調理時の油分などの周辺への飛散を防止することを目的としたレンジまわりガード器具を構成する支柱において、中空管と該中空管に挿入可能な小径中空管とで構成し、該小径中空管の該中空管に挿入する側の端部に金属製のメッシュ構造の可撓性シート材を該小径中空管に一端を固定し、他端側を該小径中空管の外径表面に巻き付けた構造として、該金属製のメッシュ構造の可撓性シート材を隙間なく巻きつけた状態で、該小径中空管の該端部を該中空管に所定のクリアランスの元に挿入可能としたことを特徴とするレンジまわりガード器具の支柱。
【請求項２】
前記支柱をレンジ上に安定に立設する手段として、該中空管の該小径中空管の反挿入側に基底部を設け、さらに該基底部のレンジ表面への接触側に滑り止めを設けた支柱ならびに該支柱を立設後、前記支柱の上端部、即ち、前記小径中空管の前記中空管への反挿入側の端部を、調理用レンジの上空部に設置されたレンジフードに係止する手段を、前記小径中空管の端部に設けたことを特徴とする請求項１記載のレンジまわりガード器具の支柱。
【請求項３】
調理用レンジに該レンジの発熱部即ち火口を略コの字状に包囲するように設置した４本の支柱を支持部として、該調理用レンジの発熱部即ち火口を略コの字状に包囲するように不燃材あるいは難燃材製のシート材を張着することにより、調理時の油分などの周辺への飛散を防止することを目的としたレンジまわりガード器具を構成する支柱において、中空管と該中空管に挿入可能な小径中空管とで構成し、該中空管の該小径中空管の反挿入側に滑り止めを設け、かつ該小径中空管の該中空管への反挿入側の端部を、調理用レンジの上空部に設置されたレンジフードに係止する手段を、前記小径中空管の端部に設けたことを特徴とするレンジまわりガード器具の支柱。
【請求項４】
調理用レンジの発熱部即ち火口を略コの字状に包囲するように配置した４本の請求項１、２あるいは請求項３に述べたレンジまわりガード器具の支柱に、不燃材あるいは難燃材製のシート材を張着する手段として、樋状の部材の両端に該樋状の部材の長手方向に対して直角に開口部を持つ略Ｃ型のバネ材を結合したシート材保持具あるいは断面が略Ｃ型の樋状のシート材保持具と請求項１、２あるいは請求項３に述べたレンジまわりガード器具の支柱との組み合わせからなることを特徴とするレンジまわりガード器具。
【請求項５】
調理用レンジに該レンジの発熱部即ち火口を略コの字状に包囲するように設置した４本の支柱を支持部として、調理用レンジの発熱部即ち火口を略コの字状に包囲するように不燃材あるいは難燃材製のシート材を張着することにより、調理時の油分などの周辺への飛散を防止することを目的とした、請求項４のレンジまわりガード器具に、調理用レンジの発熱部即ち火口を略コの字状に包囲するように不燃材あるいは難燃材製のシート材を張着することにより、調理時の油分などの周辺への飛散を防止する方法。
【発明の詳細な説明】
【技術分野】
【０００１】      本発明は、調理時における油分などの、調理用レンジまわりへの飛散を防止することを目的とした器具に関する。
【背景技術】
【０００２】      一般家庭において、特に炒め物やてんぷらなどを調理用レンジで調理する場合に、油はねが生じてレンジまわりを汚し、後片付けに手間がかかるので、油はねによる油の飛散を防止する手段が各種提案されており、例えばアルミ箔からなる油飛散防止板で火口をコの字型に囲うようにレンジ上に設置できるように、下部を折り曲げて転倒防止対策を施したもの（特許文献１）、レンジに取り付けるために、レンジと油飛散防止板に磁石を取り付けて磁力により油飛散防止板を固定するもの（特許文献２）、レンジフードから油飛散防止板を吊り下げる手段を設けたもの（特許文献３）などがあった。
【特許文献１】実開昭６２−６６０７
【特許文献２】実開昭５８−１５３９１７
【特許文献３】特開２００８−２５３６９９
【発明の開示】
【発明が解決しようとする課題】
【０００３】      前記に記載した先行技術では油の飛散をレンジまわりからは防止できるが、成形加工品である油飛散防止板が汚れ、これを使い捨てにするには高価すぎるし、再使用するには油で汚れた油飛散防止板を清掃して保管しなければならず、清掃の手間や保管場所の問題があったので、安価な素材を使って、使い捨てができるようにすることと、加えて、使用するレンジまわりの囲う範囲ならびに囲いの高さを必要範囲と必要高さに合わせて調整ができるようにすることである。
【課題を解決するための手段】
【０００４】      前記における課題を解決するために、高さ調整を可能とする手段を備えた支柱と、該支柱を安定にレンジ上に設置できる手段として基台を該支柱に設けた支柱、さらに前記支柱をレンジ上方に配置されたレンジフードに係止するための係止手段を該支柱の反基台側に設けた支柱、あるいは長さ調整が可能な支柱にレンジ上方に配置されたレンジフードに該支柱を係止するための係止手段を設けた支柱に、安価な市販の不燃材あるいは難燃材製のシート材を取り付ける手段によって、調理するレンジの使用する発熱部即ち火口のまわりの必要な範囲だけを、４本の前記支柱と前記不燃材あるいは難燃材製のシート材とで略コの字型に囲うことで、油分の飛散を防止し、使用後は該シート材は廃棄できるようにしたレンジまわりガード器具とすることである。【０００５】      即ち、前記支柱を中空管と該中空管に挿入可能な小径中空管とで構成し、該小径中空管の該中空管に挿入する側の端部に、金属製のメッシュ構造の可撓性シート材の一端を該小径中空管に固定し、他端側を該小径中空管の外径表面に巻き付けた構造として、該小径中空管の該端部を該中空管に挿入可能としたことにより、該小径中空管を左右に回すことにより、該小径中空管を該中空管に固定したり、開放したりすることで、該中空管への該小径中空管の挿入量を調整してかつ、その位置で相互に保持することで、支柱の高さを調節できる構造とし、さらに該中空管のレンジ上に設置する側に該支柱を安定に立設できるように基底部を設けた支柱である。【０００６】      さらに、レンジ上方に配置されたレンジフードに、該小径中空管の反挿入側の前記支柱を係止するための手段を設けた支柱である。【０００７】      あるいは、中空管と該中空管に挿入可能な小径中空管とで構成し、該小径中空管が該中空管内で軸方向に自由に摺動移動できることで長さ調整が可能な支柱に、レンジ上方に配置されたレンジフードに該支柱を係止するための係止手段を設けた支柱である。【０００８】      前記支柱に油分の飛散を防止するための不燃材あるいは難燃材製のシート材を取り付けるために、不燃材あるいは難燃材製のシート材を該支柱に保持するための手段を設けることで、不燃材あるいは難燃材製のシート材の寸法に合わせて高さを調整した該支柱に不燃材あるいは難燃材製のシート材を張着し、調理時の油分の飛散を防止するレンジまわりガード器具とすることである。
【発明の効果】
【０００９】      本発明品によれば、調理時に油分の飛散を防止のために、高さを調節して立設した支柱あるいは長さを調整して、レンジフードに係止した支柱に、使用する市販の不燃材あるいは難燃材製のシート材を張着することにより、油分の飛散を防止したい範囲だけを囲うように支柱の配置位置を設定でき、使用後は不燃材あるいは難燃材製のシート材は安価であるので廃棄処分にすることができ、調理後のレンジまわりの清掃負担を軽減することで主婦などの調理時における労力の軽減に貢献できるとともに、収納もコンパクトにできる効果が期待できる。
【発明を実施するための最良の形態】
【００１０】      安定に立設できるように基底部を設けた中空管と、該中空管より小径の中空管の一端に、適度な幅の金属製のメッシュ構造の可撓性シート材を該小径中空管に一端を固定し、他端側を該小径中空管の外径表面に巻き付けた構造として、該小径中空管の該端部を該中空管の基底部と反対側に、該小径中空管の外径表面に巻きつけられた該金属製のメッシュ構造の可撓性シート材の外径寸法とわずかなクリアランスを残した状態で該中空管に挿入可能に設定された該小径中空管とからなる支柱である。【００１１】      前記のように設定された支柱において、該小径中空管を該中空管に対し該金属製のメッシュ構造の可撓性シート材が巻き付く方向に回すことにより、該金属製のメッシュ構造の可撓性シート材が該小径中空管に強く巻きつくので、該中空管の内径と該金属製のメッシュ構造の可撓性シート材の外径との間にわずかな隙間ができて、該小径中空管を該中空管内の軸方向に自由に移動させることが可能となる。【００１２】      一方、該小径中空管を前記と逆方向、即ち、該金属製のメッシュ構造の可撓性シート材が該小径中空管から解ける方向に回すと、該金属製のメッシュ構造の可撓性シート材が該小径中空管から解けるので、該金属製のメッシュ構造の可撓性シート材の外径はふくらみ、該中空管の内径と該金属製のメッシュ構造の可撓性シート材の外径が接触することになり、該小径中空管を強く回すことによって相互に発生する摩擦で相互に保持する力が生じ、このことにより、該中空管と該小径中空管からなる支柱のトータル長さを調整できるとともに、その位置でその高さを保持できるようになり、支柱の高さが任意に設定できるようになるので支柱の高さを任意に調整でき、更にはレンジフードに係止できる高さに調整できるのである。【００１３】      あるいは、中空管と、該中空管より小径の中空管が該中空管内を自由に摺動移動できるように挿入された支柱であって、該中空管の該小径の中空管の反挿入側には滑り止めが施されており、かつ、該小径の中空管の反挿入側にはレンジ上方に配置されたレンジフードに該支柱を係止するための係止手段を設けることにより支柱をレンジフードに係止できるように設定されている。【００１４】      前記に記した本発明の４本の支柱を保持点として、市販の安価な不燃材あるいは難燃材製のシート材を張着することで、調理時にレンジの所望の範囲を略コの字状に囲うことができるので、調理時の油分などの飛散の防止がレンジ周辺のみならずレンジ上でも最小限に抑えることが可能となるのである。
【実施例１】
【００１５】      本発明の実施例１は請求項１に対応するもので、図２に示すように、アルミ製の中空管２と該中空管２の一端にアルミ製の厚みのある円盤３を基底部として固着し、該円盤３の該中空管２側でない面には滑り止めを目的としてゴム製シート材４が貼り付けられてあり、一方、アルミ製の小径中空管５の一端には２ｃｍ程度の幅のステンレス製の細目のメッシュ状のシート材６が一端側が溶着され、他端側が該アルミ製の小径中空管５に、１周半ないしは２周程度巻きつけられており、該メッシュ状のシート材６が該小径中空管５にゆるみなく巻きつけられている状態で、該端部が該中空管２に適度なクリアランスの元に挿入可能な寸法に、該中空管２の内径寸法ならびに該小径中空管５の外径寸法を選定することで、該小径中空管５は該中空管２の中を該中空管２の軸方向に移動可能に支柱１は構成されている。【００１６】      前記のごとく構成された支柱１において、該小径中空管５を該中空管２の中を該中空管２の軸方向の必要な位置に移動させた後、該メッシュ状のシート材６が該小径中空管５から解ける方向に該小径中空管５を回すことにより、該メッシュ状のシート材６が解けて該メッシュ状のシート材６の外径がふくらみ、該中空管２の内径に接触するので、強く回すことにより相互に発生する摩擦力で相互に保持する力が生じ、該小径中空管５を該中空管２の任意の位置に固定することが可能となり、支柱１の高さを任意に調整し且つ高さを保持できることになる。【００１７】      上記のようにして設置された支柱に、シート材を張着する手段としての保持具７ａあるいは７ｂを用いて、市販の安価な不燃材あるいは難燃材製のシート材８を張着することである。【００１８】      以上のことにより、図１に示すように、４本の前記支柱１をレンジ１０上に調理に使用する発熱部即ち火口を略コの字状に囲うように配置し、市販の安価な不燃材あるいは難燃材製のシート材８を、高さを調整して設置した該４本の支柱１に保持具７ａあるいは７ｂを用いて取り付けることで、レンジまわりガード器具９となり、調理時の油分などがレンジまわりに飛散するのを防止することができる。
【実施例２】
【００１９】      本発明の実施例２は請求項２に対応するもので、図４に示すように、実施例１に加えてさらに、前記支柱１の該小径中空管５の自由端にレンジ上方に配置されたレンジフード１９に該支柱を係止するための係止手段１３が設けられており、該支柱１２をレンジ上方に配置されたレンジフード１９に係止することができるように構成されている。【００２０】      以上のことにより、図３に示すように、４本の前記支柱１をレンジ上方に配置されたレンジフード１６に係止手段１３により係止することができるので、支柱などに手が触れることで起きる可能性のある支柱の転倒を防止する対策が強化され、レンジ１０上に調理に使用する発熱部即ち火口を略コの字状に囲うように該支柱を配置し、市販の安価な不燃材あるいは難燃材製のシート材８を、保持具７ａあるいは７ｂを用いて該４本の支柱１２に取り付けることでレンジまわりガード器具１７となり、安全に調理時の油分などがレンジまわりに飛散するのを防止することができる。
【実施例３】
【００２１】      本発明の実施例３は請求項３に対応するもので、図６に示すように、アルミ製の中空管１５と、該中空管１５より小径のアルミ製の中空管１４が該中空管１５内を自由に摺動移動可能に挿入された支柱１６（伸縮自在のアンテナと同様の構造）であって、かつ、該小径の中空管１４の反挿入側にはレンジ上方に配置されたレンジフード１９に該支柱１６を係止するための係止手段１３を設けることにより該支柱１６をレンジフード１９に係止できるように構成され、該中空管１５の小径の中空管１４の反挿入側には滑り止め２０が設けられている。【００２２】      以上のことにより、該支柱１６をレンジ上方に配置されたレンジフード１９に係止手段１３により固定し、調理に使用する発熱部即ち火口を略コの字状に囲うように配置した４本の該支柱に、市販の安価な不燃材あるいは難燃材製のシート材８を保持具７ａあるいは７ｂで張着することでレンジまわりガード器具１８となり、調理時の油分などがレンジまわりに飛散するのを防止することができる。
【実施例４】
【００２３】      本発明の実施例４は請求項４に対応するもので、不燃材あるいは難燃材製のシート材８を請求項１、２、３の支柱に張着する手段として、図７に示すように、樋状の部材の両端に該樋状の部材２１の長手方向に対して直角方向で、樋の湾曲方向と同一方向に開口部を持つ略Ｃ型のバネ材２２を結合したシート材保持具７ａあるいは断面が略Ｃ型の樋状の弾性材２３からなるシート材保持具７ｂである。【００２４】      尚、前記実施例１、２、３において、アルミ製の中空管、アルミ製の小径中空管、アルミ製の厚みのある円盤を基底部などとしたが、材質は難燃ないしは不燃材で強度的に満足するものであれば特にアルミ材でなくてもよく、また前記基底部の形状も円形に拘るものではなく、さらに、小径中空管は代わりに棒であってもよい。【００２５】      また、小径中空管５の一端に取り付けられるステンレス製の細目のメッシュ状のシート材の固着方法、幅寸法、巻き付け量、材質およびメッシュ状のシート材の目の粗さ並びにメッシュ状のシート材の外径と中空管の内径とのクリアランスなどについては、前記内容に限定するものではなく、使用する素材に合わせて最適値に設定すればよい。【００２６】      また、支柱の滑り止めとして、前記においてはゴム製シート材４としたが、滑り止め効果のあるものであればこれに限定したものではなく、別途、基底部に磁石を内蔵させて磁力を活用することも一案である。【００２７】      また、市販の安価な不燃材あるいは難燃材製のシート材８を保持する手段としては、前記のように保持具７ａあるいは７ｂに拘ることはなく、不燃材あるいは難燃材製のシート材８を保持できる手段であれば公知の方法や既存のクリップなどを採用してもよく、また保持具７ａあるいは７ｂ自体も図示形状に拘ることなく、また材質も弾性のあるものであれば、その如何を問はない。【００２８】      なお、支柱の高さ調整のための該小径中空管５の回転方向に対する効果を示す注意書き、即ち、矢印とともに、ゆるめる、固定する、などの注意書きを該小径中空管に明示するとよい。【００２９】      さらに、レンジまわりガード器具９、１７，１８として使用時に不燃材あるいは難燃材製のシート材８のレンジ側の端面も支柱に係止できるようにするために、フック１１を設けることで不燃材あるいは難燃材製のシート材８の支柱への張着が安定に得られるが、係止手段としてはこれに拘るものではなく、クリップ式やピンなどでもよい。【００３０】      また、実施例２、３においては、レンジフード１９の配置位置の高さが高い場合に備えて、支柱の上端に設けられた係止手段がレンジフード１９に届くように、前期実施例では２段式の中空管ならびに小径中空管で説明したが、中空管ならびに小径中空管の段数を増やして多段式にしてもよい。【００３１】      また、実施例２、３においては、支柱の上端に設けられた係止手段１３は図示形状の挟み留め具などに拘ることなく、公知の手段から採用すればよく、あるいは磁石の吸着力を活用する方法もある。【００３２】      また、実施例２においては、一般的に調理用レンジの上空部に設置されているレンジフード１９の構造によっては、支柱に設けられた係止手段１３を使わずに、レンジ１０とレンジフード１９の間を支柱１２で突っ張るように支柱の高さを調整することで、支柱１２の転倒防止の機能が得られることはいうまでもない。【００３３】      前記において、調理に使用する発熱部即ち火口を略コの字状に囲うように配置した４本の該支柱に、市販の安価な不燃材あるいは難燃材製のシート材８を保持具７ａあるいは７ｂで張着するとしたが、かならずしも略コの字状に囲う必要はなく、３本の支柱で略Ｌ字型や２本の支柱でＩ字型に配置して、必要な範囲のみを油分などの飛散防止対象とすることも可能なことは言うまでもない。
【図面の簡単な説明】
【００３４】
【図１】実施例１の支柱を使ったレンジまわりガード器具の使用状況を示した斜視図
【図２】実施例１の支柱の構造と断面図
【図３】実施例２の支柱を使ったレンジまわりガード器具の使用状況を示した斜視図
【図４】実施例２における支柱の断面図
【図５】実施例３の支柱を使ったレンジまわりガード器具の使用状況を示した斜視図
【図６】実施例３の支柱の断面図
【図７】不燃材あるいは難燃材製のシート材張着手段である保持具７ａ、７ｂの斜視図
【符号の説明】
【００３５】１．１２．１６．支柱
２．実施例１、２の中空管
３．厚みのある円盤
４．ゴム製シート材
５．実施例１、２の小径中空管
６．ステンレス製の細目のメッシュ状のシート材
７ａ．７ｂ．保持具
８．不燃材あるいは難燃材製のシート材
９．１７．１８．レンジまわりガード器具
１０．調理用レンジ
１１．フック
１３．支柱係止手段
１４．実施例３の小径中空管
１５．実施例３の中空管
１９．レンジフード
２０．実施例３の滑り止め
２１．樋状の部材
２２．略Ｃ型のバネ材
２３．断面が略Ｃ型の樋状の弾性材
【図１】
2012107850.tif 000003
【図２】
2012107850.tif 000004
【図３】
2012107850.tif 000005
【図４】
2012107850.tif 000006
【図５】
2012107850.tif 000007
【図６】
2012107850.tif 000008
【図７】
2012107850.tif 000009